(57)【要約】      （修正有）【課題】着座時に脊柱を圧迫せずに支持して着座者の背中にかかる負担を軽減し、簡単に持ち運びのできる脊柱支持具を提供する。【解決手段】着座者の背面と背もたれ部分との間に介在させる脊柱支持具１０であって、着座者の脊柱と直交する方向を長さ方向とする柱状体１１であり、長さ中央部の着座者の脊柱に対応させる部分には脊柱が収まる幅及び深さの一周する凹溝１２を備え、凹溝１２を挟む両側は着座者の背面に当接して支持する支持部材１３Ａ、１３Ｂを構成するとともに、各支持部材１３Ａ、１３Ｂは少なくとも表面１３ａがクッション材により形成されている。【選択図】図１
0003200807.tif 000002
【実用新案登録請求の範囲】
【請求項１】
着座者の背面と背もたれ部分との間に介在させる脊柱支持具であって、
着座者の脊柱と直交する方向を長さ方向とする柱状体であり、長さ中央部の着座者の脊柱に対応させる部分には脊柱が収まる幅及び深さの一周する凹溝を備え、前記凹溝を挟む両側は着座者の背面に当接して支持する支持部材を構成するとともに、各支持部材は少なくとも表面がクッション材により形成されている脊柱支持具。
【請求項２】
前記の各支持部材は、棒状の芯材の両端部に前記凹溝の溝幅に相当する隙間をあけて装着されている請求項１に記載の脊柱支持具。
【請求項３】
前記芯材は、前記クッション材より硬質のクッション材により構成されている請求項１または２に記載の脊柱支持具。
【請求項４】
前記の各支持部材は、棒状の芯材の両端部の外周にクッション材よりなる帯状シートを層状に巻き付けて形成されるとともに、その巻き終わり端は留め具により最外層の帯状シートの表面に固定されている請求項１〜３のいずれかに記載の脊柱支持具。
【請求項５】
前記留め具は、前記帯状シートの巻き終わり端部の内面と最外層の帯状シートの表面との間に設けられた互いに咬み合う面ファスナーである請求項４に記載の脊柱支持具。
【請求項６】
前記の各支持部材は、全体がクッション材により形成されたブロック体であり、前記芯材の端部が抜け止め状態で挿入される穴を備えている請求項１〜３のいずれかに記載の脊柱支持具。
【請求項７】
請求項１〜６のいずれかに記載された脊柱支持具であって、前記柱状体の全体が収容可能な大きさのカバーをさらに備えており、前記カバーには着座者に固定されるベルトが設けられている脊柱支持具。
【考案の詳細な説明】
【技術分野】
【０００１】
本考案は、脊柱支持具に関し、詳しくは着座者の背面と椅子等の背もたれ部分との間に介在させる脊柱支持具に関するものである。
【背景技術】
【０００２】
椅子や自動車の座席等に長時間着座した場合、腰部や背中に負担がかかり腰痛や猫背の原因となる。このため、腰部や背中にかかる負担を軽減する目的で、椅子や座席に用いられるクッションが各種開発されている。
例えば、特許文献１においては、布と綿からなるキルティング縫いのマットを円柱状に成形し、外周にひもを巻き付けたものが提案されている。
また、特許文献２において提案されている健康マットは、２箇所の半円形の凸部が設けられて着座者の尻を載せるマットと、マットの後部から立ち上がった状態で取り付けられ、着座者の腰を後ろから支える腰サポートクッションとを備えている。この健康マットは椅子や座席に設置され、着座者は骨盤を凸部の間に収めるように着座する。
【先行技術文献】
【特許文献】
【０００３】
【特許文献１】実用新案登録第３１０６０６０号公報
【特許文献２】特開２００６−１６７３２０号公報
【考案の概要】
【考案が解決しようとする課題】
【０００４】
着座者の背中は、脊柱が脊柱の両側の背面よりも張り出している。特許文献１においては、マットが円柱状に成形されているため、マットを着座者の背中に当てた際に脊柱がマットに直接当たり、長時間の使用により脊柱が圧迫されて背中が痛くなるという問題がある。
また、特許文献２の健康マットは座席に設置されるタイプのものであるため、着座者は座席や椅子を移動するたびに健康マットを取り外して設置し直さなくてはならず、手間がかかるという問題がある。
【０００５】
本考案は、上記した課題に着目してなされたものであり、着座時に脊柱を圧迫せずに支持して着座者の背中にかかる負担を軽減し、簡単に持ち運びのできる脊柱支持具を提供することを目的とする。
【課題を解決するための手段】
【０００６】
本考案による脊柱支持具は、着座者の背面と背もたれ部分との間に介在させるものであって、着座者の脊柱と直交する方向を長さ方向とする柱状体であり、長さ中央部の着座者の脊柱に対応させる部分には脊柱が収まる幅及び深さの一周する凹溝を備え、前記凹溝を挟む両側は着座者の背面に当接して支持する支持部材を構成するとともに、各支持部材は少なくとも表面がクッション材により形成されているものであり、上記の目的はこの脊柱支持具により達成される。
【０００７】
上記の構成によれば、脊柱支持具の使用時には柱状体の長さ中央部の凹溝に着座者の脊柱が収められ、支持部材により着座者の脊柱の両側の背面が支持されるため、着座時に脊柱を圧迫せずに背面が支持され、着座者の背中にかかる負担が軽減される。従って、車両の座席などに長時間着座する場合であっても、着座者は楽な姿勢を保ち快適に着座し続けることができる。また、脊柱支持具は着座者の背面と座席や椅子の背もたれ部分との間に介在させればよく、座席や椅子に設置する必要はないため、取り外しの手間がなく簡単に持ち運びができる。
【０００８】
好ましい実施形態においては、前記の各支持部材は、棒状の芯材の両端部に前記凹溝の溝幅に相当する隙間をあけて装着されている。
【０００９】
上記の構成によれば、芯材の両端部に装着される一対の支持部材の間隔を調整することで、凹溝の溝幅を調整することができる。
【００１０】
好ましい実施形態においては、前記芯材は、前記クッション材より硬質のクッション材により構成されている。
【００１１】
上記の構成によれば、芯材が支持部材のクッション材よりも硬質であるため、支持部材を芯材に装着する際に芯材が変形しにくく、支持部材を芯材に装着しやすい。また、硬質の芯材により支持部材を支えているため、着座者による大きな荷重が脊柱支持具に加わっても脊柱支持具全体が変形することなく着座者の背面を支持することができる。
【００１２】
前記の各支持部材は、棒状の芯材の両端部の外周にクッション材よりなる帯状シートを層状に巻き付けて形成されるとともに、その巻き終わり端は留め具により最外層の帯状シートの表面に固定されていてもよい。
【００１３】
上記の構成によれば、各支持部材が帯状シートを用いて構成されるため、芯材に巻き付けるだけの簡単な作業で支持部材を形成することができる。また、着座者が好みの巻き付け強さで支持部材を芯材に巻くことで、着座者の好みに合わせて支持部材の固さを調節することができる。
【００１４】
前記留め具は、前記帯状シートの巻き終わり端部の内面と最外層の帯状シートの表面との間に設けられた互いに咬み合う面ファスナーであってもよい。
【００１５】
前記構成によれば、面ファスナーを互いに咬み合せるだけで、帯状シートである支持部材を層状に巻き付けた状態を簡単に維持することができる。
【００１６】
他の好ましい実施形態においては、前記の各支持部材は、全体がクッション材により形成されたブロック体であり、前記芯材の端部が抜け止め状態で挿入される穴を備えている。
【００１７】
上記の構成によれば、芯材の端部をブロック体の穴に挿入するだけの簡単な作業で芯材に支持部材を取り付けることができる。
【００１８】
上記の脊柱支持具は、前記柱状体の全体が収容可能な大きさのカバーをさらに備えており、前記カバーには着座者に固定されるベルトが設けられていることが好ましい。
【００１９】
ベルトにより着座者に脊柱支持具を固定するため、着座者が姿勢を変化させて着座者の背面が背もたれ部分から離れた場合であっても、脊柱支持具が着座者の背中から外れてずり落ちることがない。
【考案の効果】
【００２０】
前述したように、本考案の構成によれば、柱状体の長さ中央部の凹溝に着座者の脊柱が収められ、支持部材により着座者の脊柱の両側の背面が支持されるため、着座時に脊柱を圧迫せずに背面が支持され、着座者の背中にかかる負担が軽減される。従って、車両の座席に長時間着座する場合であっても、着座者は楽な姿勢を保ち快適に着座し続けることができる。また、脊柱支持具は着座者の背面と座席や椅子の背もたれ部分との間に介在させればよく、座席や椅子に設置する必要はないため、取り外しの手間がなく簡単に持ち運びができる。
【図面の簡単な説明】
【００２１】
【図１】本考案の一実施形態に係る脊柱支持具を示す斜視図である。
【図２】支持部材を開いた状態を示す斜視図である。
【図３】脊柱支持具の使用状態を示す側面図である。
【図４】一実施形態に係る脊柱支持具の変形例を示す斜視図である。
【図５】図４に示す変形例の支持部材を開いた状態を示す斜視図である。
【図６】他の実施形態に係る脊柱支持具を示す斜視図である。
【図７】図６の実施形態に係る脊柱支持具を示す分解斜視図である。
【図８】他の実施形態に係る脊柱支持具の変形例を示す斜視図である。
【図９】カバーとベルトを備えた脊柱支持具を示す斜視図である。
【考案を実施するための最良の形態】
【００２２】
本考案の実施形態を図面を参照して説明する。
本考案の脊柱支持具１０は、図３に示すように、着座者Ｐの背面と座席や椅子の背もたれ部分Ｓとの間に介在させるものであり、図１に示すように、着座者Ｐの脊柱と直交する方向を長さ方向Ｘとする円柱状体１１である。脊柱支持具１０は、長さ方向Ｘの中央部の着座者Ｐの脊柱に対応させる部分に脊柱が収まる幅及び深さの一周する凹溝１２を備え、凹溝１２を挟む両側は着座者Ｐの背面に当接して支持する支持部材１３Ａ、１３Ｂを構成している。
【００２３】
図１、図２に示すように、各支持部材１３Ａ、１３Ｂは、棒状の芯材１４の両端部の外周に、凹溝１２の溝幅Ｌ１に相当する隙間をあけて、矩形状の帯状シートを層状に巻き付けて形成されている。帯状シートはクッション材から形成されおり、このクッション材は、ポリウレタン、ポリ塩化ビニル、ポリエチレンなどから作られている。なお、本実施形態では、支持部材１３Ａ、１３Ｂの全体をクッション材により構成しているが、支持部材１３Ａ、１３Ｂの表面のみをクッション材で構成してもよい。
本実施形態では、凹溝１２の長さ方向Ｘの断面形状は矩形状であるが、径方向の外側に向けて広がる三角形状であってもよく、台形状であってもよい。この場合、各支持部材１３Ａ、１３Ｂを形成する帯状シートは、芯材１４に巻き付けた際に所望の凹溝１２が形成される形状とする。
【００２４】
芯材１４は長さ方向Ｘに対して垂直方向の断面が円形の棒状体であり、支持部材１３Ａ、１３Ｂのクッション材より硬質のクッション材により構成されている。芯材１４の外周面に支持部材１３Ａ、１３Ｂの帯状シートの一端部が縫い付けや接着等により取り付けられている。
【００２５】
なお、芯材１４は断面が円形に限定されず、楕円形でもよく、四角形、五角形などの多角形状であってもよい。この場合、支持部材１３Ａ、１３Ｂも楕円形、多角形状に芯材１４に巻き付けられるので、脊柱支持具１０は長さ方向Ｘに対して垂直方向の断面が楕円形、多角形の柱状体となる。
【００２６】
支持部材１３Ａ、１３Ｂの巻き終わり端部１３ｂは留め具１５により支持部材１３Ａ、１３Ｂの最外層の帯状シートの表面１３ａに固定されている。留め具１５は、フック状突起を一面に備えた第１のファスナー１５Ａと、パイル状の面より成る第２のファスナー１５Ｂからなる面ファスナーにより構成されており、第１のファスナー１５Ａは支持部材１３Ａ、１３Ｂの帯状シートの巻き終わり端部１３ｂの内面に設けられ、第２のファスナー１５Ｂは支持部材１３Ａ、１３Ｂの帯状シートの表面１３ａであって、少なくとも最外層の表面に設けられている。
【００２７】
なお、留め具１５は面ファスナーに限定されず、例えば、支持部材１３Ａ、１３Ｂの巻き終わり端部１３ｂに取り付けられた２本の紐またはテープであってもよい。この場合、支持部材１３Ａ、１３Ｂが芯材１４に巻き付けられた状態で、支持部材１３Ａ、１３Ｂの外周に紐を回して紐またはテープ同士を結ぶことで、支持部材１３Ａ、１３Ｂの巻き終わり端部１３ｂが帯状シートの表面１３ａに固定される。
また、留め具１５は、支持部材１３Ａ、１３Ｂの巻き終わり端部１３ｂに一端が取り付けられた面ファスナーからなるテープであってもよい。このテープは、テープの他端の内面に第１のファスナーが形成され、テープの表面全長に第２のファスナーが形成されている。支持部材１３Ａ、１３Ｂが芯材１４に巻き付けられた状態で、支持部材１３Ａ、１３Ｂの外周にテープを巻き付けてテープの他端の第１のファスナーがテープの表面の第２のファスナーに固定されることで、支持部材１３Ａ、１３Ｂの巻き終わり端部１３ｂが帯状シートの表面１３ａに固定される。
さらに、留め具１５は、ピン、スナップ等であってもよい。
【００２８】
本実施形態では、脊柱支持具１０の長さ方向Ｘの長さＬ２を２７ｃｍとしているが、着座者Ｐの背中を支えることが可能な長さであればよく、例えば２４ｃｍ以上３０ｃｍ以下であってもよい。また、本実施形態では支持部材１３Ａ、１３Ｂの長さ方向Ｘの長さＬ３を１１ｃｍとしているが、着座者Ｐの背中の背面に当接して支持できればよく、９．５ｃｍ以上１２．５ｃｍ以下であってもよい。さらに、本実施形態では凹溝１２の溝幅Ｌ１は５ｃｍとしているが、脊柱が収まる溝幅であればよく、３．５ｃｍ以上６．５ｃｍ以下であってもよい。また、本実施形態では、芯材１４の直径Ｌ４を８ｃｍ、芯材１４に巻き付けられた支持部材１３Ａ、１３Ｂの直径Ｌ５を１５ｃｍとしているが、着座者Ｐの脊柱を支持することができればよく、芯材１４の直径Ｌ４は６ｃｍ以上１０ｃｍ以下であってもよく、支持部材１３Ａ、１３Ｂの直径Ｌ５は１２ｃｍ以上１８ｃｍ以下であってもよい。また本実施形態では、凹溝１２の深さＬ６を３．５ｃｍとしているが、凹溝１２の深さは脊柱が収まる深さであればよく、２ｃｍ以上５ｃｍ以下であってもよい。
支持部材１３Ａ、１３Ｂを構成する帯状シートの長さＬ７及び厚みＬ８は、所望の支持部材１３Ａ、１３Ｂの直径Ｌ５や凹溝１２の深さＬ６に応じて適宜調整される。
【００２９】
本考案の脊柱支持具１０を使用するには、まず、着座者Ｐは各支持部材１３Ａ、１３Ｂを自身の好みの固さとなるように芯材１４に巻き付ける。なお、この巻き付け工程は着座者Ｐが行う必要はなく、予め芯材１４に支持部材１３Ａ、１３Ｂが巻き付けられていてもよい。
次に、図３に示すように、着座者Ｐが座席や椅子に着座し、凹溝１２に脊柱が収まるように脊柱支持具１０を着座者Ｐの背面と座席や椅子の背もたれ部分Ｓとの間に介在させる。これにより、着座者Ｐの背面が脊柱支持具１０の支持部材１３Ａ、１３Ｂに支持される。
【００３０】
上記の構成によれば、本考案の脊柱支持具１０は、円柱状体１１の長さ中央部の凹溝１２に着座者Ｐの脊柱が収められ、支持部材１３Ａ、１３Ｂにより着座者Ｐの脊柱の両側の背面が支持されるため、着座時に脊柱を圧迫せずに背面が支持され、着座者Ｐの背中にかかる負担が軽減される。従って、車両の座席に長時間着座する場合であっても、着座者Ｐは楽な姿勢を保ち快適に着座し続けることができる。また、脊柱支持具１０は着座者Ｐの背面と座席や椅子の背もたれ部分Ｓとの間に介在させればよく、座席や椅子に設置する必要はないため、取り外しの手間がなく簡単に持ち運びができる。
また、凹溝１２は脊柱支持具１０に一周するように形成されているため、脊柱支持具１０を着座者Ｐの背面と座席や椅子の背もたれ部分Ｓとの間に介在させる際に、円柱状体１１の脊柱支持具１０のいずれの外周面を着座者Ｐの背面に当接させてもよい。
【００３１】
図４、図５は図１〜３に示す実施形態の変形例を示す。
図４、図５に示す実施形態では、芯材１４は帯状のシートからなっており、脊柱支持具１０の長さ方向Ｘに長い帯状のシートを、長さ方向Ｘに対して垂直方向（芯材１４の帯状シートの幅方向）にロール状に巻いて棒状に形成されている。
芯材１４が巻かれた後、芯材１４に支持部材１３Ａ、１３Ｂの帯状シートが巻き付けられて、支持部材１３Ａ、１３Ｂの巻き終わり端部１３ｂが留め具１５（第１のファスナー１５Ａ，第２のファスナー１５Ｂ）により支持部材１３Ａ、１３Ｂの表面１３ａに固定される。これにより、芯材１４は巻かれた状態が維持される。
【００３２】
なお、芯材１４に留め具を設けて芯材１４の巻き終わり端部を芯材１４の最外層の表面に固定してもよい。留め具は、例えば、芯材１４の巻き終わり端部の内部と、芯材１４の帯状シートの表面との間に設けられた面ファスナーであってもよく、芯材１４の巻き終わり端部に取り付けられた紐であってもよい。
その他の構成については、図１〜図３の実施形態と同様であるため、同一の符号を付して説明を省略する。
【００３３】
図６、図７に本考案の他の実施形態を示す。
脊柱支持具２０の各支持部材２３Ａ、２３Ｂは、全体がクッション材により形成された円柱状のブロック体である。ブロック体の軸方向（脊柱支持具２０の長さ方向Ｘ）の側端面２３ｂには、芯材１４の長さ方向Ｘの外形に対応した形状の穴２３ａが形成されている。
【００３４】
各支持部材２３Ａ、２３Ｂに形成された穴２３ａの深さＬ８は、穴２３ａの底部に芯材１４の端面が当接するまで芯材１４を各支持部材２３Ａ、２３Ｂに挿入した際に、各支持部材２３Ａ、２３Ｂの間の隙間が凹溝１２の溝幅Ｌ１に相当するように設定されている。
支持部材２３Ａ、２３Ｂ、芯材１４はクッション材により形成されており、芯材１４の端部の外周面が支持部材２３Ａ、２３Ｂの穴２３ａの内周面に密接することで芯材１４と支持部材２３Ａ、２３Ｂとの間に摩擦力が作用し、芯材１４が抜け止め状態で支持部材２３Ａ、２３Ｂの穴２３ａに係止される。
【００３５】
なお、支持部材２３Ａ、２３Ｂに形成された穴２３ａは、芯材１４の長さ方向Ｘの外面に対応した形状に限定されず、芯材１４の端部または支持部材２３Ａ、２３Ｂの穴２３ａを変形させて支持部材２３Ａ、２３Ｂの穴２３ａに芯材１４を挿入できればよい。また、穴２３ａは、支持部材２３Ａ、２３Ｂを長さ方向Ｘに貫通する貫通孔であってもよい。
また、芯材１４は図５に示した実施形態のように帯状シートから形成され、脊柱支持具２０の長さ方向Ｘに長い帯状のシートを、長さ方向Ｘに対して垂直方向（芯材１４の帯状シートの幅方向）にロール状に巻いて棒状に形成されたものであってもよい。
【００３６】
なお、異なる直径のブロック体を複数用意しておき、着座者Ｐの体型や好みに合わせてブロック体を付け替えてもよい。
【００３７】
その他の構成については、図１〜図３の実施形態と同様であるため、同一の符号を付して説明を省略する。
【００３８】
本実施形態によっても、円柱状体１１の長さ中央部の凹溝１２に着座者Ｐの脊柱が収められ、支持部材２３Ａ、２３Ｂにより着座者Ｐの脊柱の両側の背面が支持されるため、着座時に脊柱を圧迫せずに背面が支持され、着座者Ｐの背中にかかる負担が軽減される。従って、車両の座席に長時間着座する場合であっても、着座者Ｐは楽な姿勢を保ち快適に着座し続けることができる。また、脊柱支持具２０は着座者Ｐの背面と座席や椅子の背もたれ部分Ｓとの間に介在させればよく、座席や椅子に設置する必要はないため、取り外しの手間がなく簡単に持ち運びができる。
【００３９】
図８は本考案の他の実施形態の変形例を示す。
この実施形態では、ブロック体の穴２３ａの内周面に凹部２３ｃを形成するとともに、芯材２４の端部であってブロック体の穴２３ａに挿入する際に凹部２３ｃに適合する位置に突部２４ａを設けている。支持部材２３Ａ、２３Ｂ、芯材２４はクッション材により形成されており、芯材２４をブロック体の穴２３ａに挿入する際に突部２４ａが変形して凹部２３ｃに嵌めこまれる。ブロック体の穴２３ａの内周面の凹部２３ｃ及び芯材２４の突部２４ａにより、芯材２４の端部は支持部材２３Ａ、２３Ｂに抜け止め状態となる。なお、凹部２３ｃは一周する凹溝であってもよい。
【００４０】
その他の構成については、図６、７の実施形態と同様であるため、同一の符号を付して説明を省略する。
【００４１】
図９に本考案の他の実施形態を示す。
図９に示す実施形態の脊柱支持具３０は、図１〜図８のいずれかの実施形態の円柱状体１１全体が収容可能な大きさのカバー３１をさらに備えている。
カバー３１は、伸縮自在な布から形成されており、帯状シートの巻き付け強さを変えることで支持部材１３Ａ、１３Ｂの直径が変化した場合や、支持部材２３Ａ、２３Ｂ（ブロック体）を直径が異なるものに付け替えた場合であっても、カバー３１を円柱状体１１にフィットさせることが可能である。カバー３１を西陣織など金銀色の糸を織り交ぜた美麗な布から形成することで、見栄えを良くし高級感を付与することができる。
カバー３１には開口（図示せず）が設けられ、円柱状体１１が開口から挿入される。
【００４２】
カバー３１の長さ方向Ｘの両端には着座者Ｐに固定されるベルト３２が取り付けられている。ベルト３２は、第１及び第２のベルト片３２Ａ、３２Ｂからなり、各ベルト片３２Ａ、３２Ｂの基端部がカバー３１に取り付けられるとともに、第１のベルト片３２Ａの先端部に環状金具３２ａが設けられ、第２のベルト片３２Ｂの先端部に鉤状金具３２ｂが設けられている。脊柱支持具３０を着座者Ｐの背中の所望の位置に押し当て、第１及び第２のベルト片３２Ａ、３２Ｂを着座者Ｐの腹部に回して環状金具３２ａに鉤状金具３２ｂを係止することで、着座者Ｐに脊柱支持具３０が固定される。第１及び第２のベルト片３２Ａ、３２Ｂは伸縮可能なゴム紐から形成されており、着座者Ｐの体型によらず、着座者Ｐに脊柱支持具３０を固定することが可能である。
【００４３】
ベルト３２により着座者Ｐに脊柱支持具３０が固定されているので、着座者Ｐが姿勢を変化させて着座者Ｐの背面が背もたれ部分Ｓから離れた場合であっても、脊柱支持具３０が着座者Ｐの背中から外れてずり落ちることがない。
【００４４】
その他の構成については、図１〜図８の実施形態と同様であるため、同一の符号を付して説明を省略する。
【００４５】
以上、本考案の一実施形態について説明したが、本考案は上記実施形態に限定されるものではなく、本考案の趣旨を逸脱しない限りにおいて種々の変更が可能である。
【符号の説明】
【００４６】
１０、２０  脊柱支持具
１１  柱状体
１２  凹溝
１３Ａ、１３Ｂ、２３Ａ、２３Ｂ  支持部材
１３ａ  帯状シートの表面
１３ｂ  巻き終わり端部
１４、２４  芯材
１５  留め具
２３ａ  穴
３１  カバー
３２  ベルト
Ｌ１  凹溝の溝幅
Ｐ  着座者
Ｓ  背もたれ部分
【図１】
0003200807.tif 000003
【図２】
0003200807.tif 000004
【図３】
0003200807.tif 000005
【図４】
0003200807.tif 000006
【図５】
0003200807.tif 000007
【図６】
0003200807.tif 000008
【図７】
0003200807.tif 000009
【図８】
0003200807.tif 000010
【図９】
0003200807.tif 000011